(57)【要約】【課題】圧縮されたデジタル音声信号が無音を示す信号となるとき、アナログ音声信号を増幅して出力する増幅回路をミュート状態とする場合にも、外付け部品の点数の増加を防止する。【解決手段】音声信号伸長部１５とスペクトラム分析部１７とが１つのＩＣ２に集積化された構成において、第２のミュート判定部２２は、スペクトラム分析部１７により分析された複数の周波数帯域のそれぞれにおけるスペクトラムレベルに基づいて、圧縮信号が無音を示す信号となっているかどうかを判別するとともに、圧縮信号が無音を示す信号になっていると判別したときには第２のミュート信号２２Ｓを送出する。また、ミュート設定部４は、第２のミュート信号２２Ｓが送出されるときには増幅回路５Ｌ，５Ｒをミュート状態に設定する。【選択図】  図１
2005056468.tif 000002
【特許請求の範囲】
【請求項１】
ディスクに記録された信号を再生するディスク再生部と、
ディスク再生部により再生された信号が圧縮されたデジタル音声信号である圧縮信号となるときには、圧縮信号を伸長するとともに伸長して得られたデジタル音声信号である伸長信号を出力する音声信号伸長部と、
ディスク再生部により再生された信号が圧縮信号であるときには音声信号伸長部から出力される伸長信号をＤ／Ａ変換することにより得られたアナログ音声信号を送出し、ディスク再生部により再生された信号が圧縮されないデジタル音声信号である非圧縮信号となるときには前記非圧縮信号をＤ／Ａ変換することにより得られたアナログ音声信号を送出するＤ／Ａ変換部と、
Ｄ／Ａ変換部から送出されるアナログ音声信号を増幅する増幅回路と、
Ｄ／Ａ変換部に導かれるデジタル音声信号が無音を示す信号となるときには第１のミュート信号を送出する第１のミュート判定部と、
第１のミュート信号が送出されるときには前記増幅回路をミュート状態に設定するミュート設定部と、
Ｄ／Ａ変換部においてＤ／Ａ変換される伸長信号について、複数の周波数帯域のそれぞれにおけるスペクトラムレベルを３２段階のレベル分けでもって分析するとともに、３２段階のスペクトラムレベルの最小値が３２段階のスペクトラムレベルの最大値の１／３０００より小さい値となっているスペクトラム分析部とを備え、
音声信号伸長部とスペクトラム分析部とが１つのＩＣに集積化されたディスク再生装置において、
ディスク再生部により再生された信号が圧縮信号であるときには、スペクトラム分析部により分析された前記複数の周波数帯域のそれぞれにおけるスペクトラムレベルに基づいて、Ｄ／Ａ変換部に導かれる伸長信号が無音を示す信号となっているかどうかを判別するとともに、伸長信号が無音を示す信号になっていると判別したときには第２のミュート信号を送出する第２のミュート判定部を備え、
第２のミュート判定部は、スペクトラム分析部により分析された前記複数の周波数帯域の全てにおけるスペクトラムレベルが最小を示すレベルになる状態が所定時間を超えて継続するとき、および、前記複数の周波数帯域のスペクトラムレベルが最小レベルと最小レベルの次のレベルとなる状態であって且つ最小レベルの次のレベルとなる周波数帯域の数が所定数より少なくなる状態が所定時間を超えて継続するときに第２のミュート信号を送出し、
ミュート設定部は、第１のミュート信号または第２のミュート信号の少なくとも一方が送出されるときには前記増幅回路をミュート状態に設定することを特徴とするディスク再生装置。
【請求項２】
ディスクに記録された信号を再生するディスク再生部と、
ディスク再生部により再生された信号が圧縮されたデジタル音声信号である圧縮信号となるときには、圧縮信号を伸長するとともに伸長して得られたデジタル音声信号である伸長信号を出力する音声信号伸長部と、
ディスク再生部により再生された信号が圧縮信号であるときには音声信号伸長部から出力される伸長信号をＤ／Ａ変換することにより得られたアナログ音声信号を送出し、ディスク再生部により再生された信号が圧縮されないデジタル音声信号である非圧縮信号となるときには前記非圧縮信号をＤ／Ａ変換することにより得られたアナログ音声信号を送出するＤ／Ａ変換部と、
Ｄ／Ａ変換部から送出されるアナログ音声信号を増幅する増幅回路と、
Ｄ／Ａ変換部に導かれるデジタル音声信号が無音を示す信号となるときには第１のミュート信号を送出する第１のミュート判定部と、
第１のミュート信号が送出されるときには前記増幅回路をミュート状態に設定するミュート設定部と、
Ｄ／Ａ変換部においてＤ／Ａ変換される伸長信号について、複数の周波数帯域のそれぞれにおけるスペクトラムレベルを分析するスペクトラム分析部とを備え、
音声信号伸長部とスペクトラム分析部とが１つのＩＣに集積化されたディスク再生装置において、
ディスク再生部により再生された信号が圧縮信号であるときには、スペクトラム分析部により分析された前記複数の周波数帯域のそれぞれにおけるスペクトラムレベルに基づいて、Ｄ／Ａ変換部に導かれる伸長信号が無音を示す信号となっているかどうかを判別するとともに、伸長信号が無音を示す信号になっていると判別したときには第２のミュート信号を送出する第２のミュート判定部を備え、
ミュート設定部は、第１のミュート信号または第２のミュート信号の少なくとも一方が送出されるときには前記増幅回路をミュート状態に設定することを特徴とするディスク再生装置。
【発明の詳細な説明】
【０００１】
【発明の属する技術分野】
本発明は、圧縮されたデジタル音声信号が記録されたディスク、および、圧縮されないデジタル音声信号が記録されたディスクを再生するディスク再生装置に係り、詳細には、圧縮されたデジタル音声信号および圧縮されないデジタル音声信号の双方の再生時において、無音となるときにはアナログ音声信号を増幅する増幅回路をミュート状態に設定するディスク再生装置に関するものである。
【０００２】
【従来の技術】
高音質を可能にするリニアＰＣＭのデジタル音声信号（以下では、非圧縮信号と称する）の記録と、圧縮されたデジタル音声信号（以下では、圧縮信号と称する）の記録とが可能なＤＶＤを再生する装置においては、Ｓ／Ｎ比を良好とするため、無音となるときには、アナログ音声信号を増幅して外部に送出する増幅回路をミュート状態に設定するようになっている。このように、無音となるときに、増幅回路をミュート状態に設定する従来技術の１つに、本願出願人により開示された技術がある（第１の従来技術とする）。
【０００３】
図４は、上記した技術を示しており、圧縮されたデジタル音声信号が記録されたＤＶＤを再生する場合、データ処理部９０は、ピックアップ９８より出力される信号から、圧縮されたデジタル音声信号を復調した後、圧縮された音声信号を伸長してＤ／Ａ変換器９１に出力する。また、ミュート判定部９４は、データ処理部９０から送出されるデジタル音声信号が無音を示す信号となるとき、ミュート信号をミュート設定部９３に送出する。一方、データ処理部９０から送出される伸長信号においては、圧縮されたデジタル音声信号が無音を示す信号となるときにも、完全な無音を示す信号とはならない。このため、圧縮されたデジタル音声信号が記録されたＤＶＤを再生する場合においては、圧縮された音声信号が無音を示す信号となるときにも、ミュート判定部９４からはミュート信号が送出されないという不都合が生じる（非圧縮のデジタル音声信号が記録されたＤＶＤを再生する場合、無音となるときには、データ処理部９０から送出されるデジタル音声信号が無音を示す信号となるので、ミュート判定部９４からミュート信号が送出される）。
【０００４】
補助ミュート判定部９２は、上記した不都合を解消するために設けられていて、Ｄ／Ａ変換器９１から送出されるアナログ音声信号の信号レベルに基づいて、圧縮された音声信号が無音を示す信号になっているかどうかを判定する。すなわち、Ｄ／Ａ変換器９１から送出されるアナログ音声信号の信号レベルが、極めて微小なレベルより低くなる状態が所定時間を超えて継続するときには、無音と判定するようになっている。そして、無音と判定したときには、ミュート設定部９３に補助ミュート信号を送出する。また、ミュート設定部９３は、ミュート信号が送出されるとき、および、補助ミュート信号が送出されるときの双方において、アナログ音声信号を増幅する増幅回路９５をミュート状態に設定する。このため、圧縮された音声信号が無音を示す信号となるときには、増幅回路９５がミュート状態に設定されることになる（例えば、特許文献１参照）。
【０００５】
また、デコードされたデジタル音声信号をＤ／Ａ変換することにより得られた信号をスペクトラム分析した分析結果を利用する従来技術が提案されている（第２の従来技術とする）。すなわち、この技術における装置は、ピックアップから出力されるＲＦ信号を２値化したＥＦＭ信号を生成するとともに、生成したＥＦＭ信号をデコーダに導いてデコードし、Ｄ／Ａ変換器を用いてアナログ音声信号に変換している。そして、このアナログ音声信号を高速フーリエ変換部に導くことによって、アナログ音声信号における周波数スペクトラムを分析する構成となっている。このため、単一周波数の音声信号が記録されたディスクを再生すると、再生に不具合が発生しない場合には、ディスクに記録された音声信号の周波数に対応する１つの周波数スペクトラムのみが検出されることになる。しかし、ディスクの表面に生じた傷等によって、エラー訂正が不能となる読み取りエラーが生じた場合、ディスクに記録された音声信号の周波数に対応するスペクトラムの他に、エラー訂正ができなかったことにより生じた雑音成分に対応するスペクトラムが検出される。このため、ディスクの記録面に、外周側となるほどに周方向における幅が増加する傷が形成され、単一周波数の音声信号が記録されたディスクを再生させるときに、傷の影響によってエラー訂正が不能になる事態が発生すると、記録された音声信号の周波数を示すスペクトラムの他に、異なる周波数のスペクトラムが検出される。従って、異なる周波数のスペクトラムが検出されたときのピックアップの読み取り位置を調べると、エラー訂正が不能となるときの傷の幅を知ることができ、ピックアップの性能評価ができることになる（例えば、特許文献２参照）。
【０００６】
【特許文献１】
特開２０００−２２２８２６号公報
【特許文献２】
特開２００１−３１９３２８号公報
【０００７】
【発明が解決しようとする課題】
しかしながら第１の従来技術を用いるときにも、以下に示す問題が生じていた。すなわち、第１の従来技術における補助ミュート判定部９２は、Ｄ／Ａ変換器９１から送出されるアナログ音声信号の信号レベルが、極めて微小なレベルより低くなる状態が所定時間を超えて継続するかどうかを判定する必要がある。このため、Ｄ／Ａ変換器９１の出力を直接にＡ／Ｄ変換器に導き、Ａ／Ｄ変換の変換結果に基づいて判定を行う構成とする場合では、感度不足となり、音声信号のレベルが小さくなる状態が続くときには、無音であると誤って判定する事態が発生する。このため、図５に示すように、ＯＰアンプ８１を主要部とする増幅回路８０を用いて、Ｄ／Ａ変換器９１から送出されるアナログ音声信号を、例えば、１０００倍等の高い増幅率でもって増幅した後、Ａ／Ｄ変換器８２に導く必要がある。このため、Ａ／Ｄ変換器８２を内蔵したマイクロコンピュータを用いる場合であっても、ＯＰアンプ８１、６つの抵抗、３つのコンデンサからなる増幅回路８０が必要となるので、ＩＣ以外の外付け部品の点数が増加することになり、基板形状の大型化や部品原価の上昇を招く。
【０００８】
また、第２の従来技術は、再生されるディスクに記録された音声信号の周波数を示すスペクトラムの他に、異なる周波数のスペクトラムが検出されるかどうかに基づいて、エラー訂正が不能となる読み取りエラーが生じたかどうかを調べる技術となっている。このため、第１の従来技術における問題、すなわち、圧縮された音声信号が無音を示す信号となっているかどうかの判別を行うときにも、部品点数の増加を防止するという観点から見る場合では、適用することが困難な技術となっている。
【０００９】
本発明は上記課題を解決するため創案されたものであって、その目的は、圧縮されたデジタル音声信号を伸長する音声信号伸長部と、音声信号伸長部の出力を複数の周波数帯域においてスペクトラム分析するスペクトラム分析部とが一体に集積化されたＩＣを用いる場合において、圧縮されたデジタル音声信号が無音を示す信号となるときには、アナログ音声信号を増幅して出力する増幅回路をミュート状態とする場合にも、外付け部品の点数の増加を防止することのでき、且つ、圧縮信号が無音となるときの伸長信号が、少数の周波数帯域において、最小レベルの次のレベルとなるスペクトラムを有する信号となるときにも、前記増幅回路をミュート状態に設定することのできるディスク再生装置を提供することにある。
【００１０】
また本発明の目的は、圧縮されたデジタル音声信号を伸長する音声信号伸長部と、音声信号伸長部の出力を複数の周波数帯域においてスペクトラム分析するスペクトラム分析部とが一体に集積化されたＩＣを用いる場合において、圧縮されたデジタル音声信号が無音を示す信号となるときには、アナログ音声信号を増幅して出力する増幅回路をミュート状態とする場合にも、外付け部品の点数の増加を防止することのできるディスク再生装置を提供することにある。
【００１１】
【課題を解決するための手段】
上記課題を解決するため本発明に係るディスク再生装置は、ディスクに記録された信号を再生するディスク再生部と、ディスク再生部により再生された信号が圧縮されたデジタル音声信号である圧縮信号となるときには、圧縮信号を伸長するとともに伸長して得られたデジタル音声信号である伸長信号を出力する音声信号伸長部と、ディスク再生部により再生された信号が圧縮信号であるときには音声信号伸長部から出力される伸長信号をＤ／Ａ変換することにより得られたアナログ音声信号を送出し、ディスク再生部により再生された信号が圧縮されないデジタル音声信号である非圧縮信号となるときには前記非圧縮信号をＤ／Ａ変換することにより得られたアナログ音声信号を送出するＤ／Ａ変換部と、Ｄ／Ａ変換部から送出されるアナログ音声信号を増幅する増幅回路と、Ｄ／Ａ変換部に導かれるデジタル音声信号が無音を示す信号となるときには第１のミュート信号を送出する第１のミュート判定部と、第１のミュート信号が送出されるときには前記増幅回路をミュート状態に設定するミュート設定部と、Ｄ／Ａ変換部においてＤ／Ａ変換される伸長信号について、複数の周波数帯域のそれぞれにおけるスペクトラムレベルを３２段階のレベル分けでもって分析するとともに、３２段階のスペクトラムレベルの最小値が３２段階のスペクトラムレベルの最大値の１／３０００の近傍値より小さい値となっているスペクトラム分析部とを備え、音声信号伸長部とスペクトラム分析部とが１つのＩＣに集積化されたディスク再生装置に適用している。そして、ディスク再生部により再生された信号が圧縮信号であるときには、スペクトラム分析部により分析された複数の周波数帯域のそれぞれにおけるスペクトラムレベルに基づいて、Ｄ／Ａ変換部に導かれる伸長信号が無音を示す信号となっているかどうかを判別するとともに、伸長信号が無音を示す信号になっていると判別したときには第２のミュート信号を送出する第２のミュート判定部を備え、第２のミュート判定部は、スペクトラム分析部により分析された複数の周波数帯域の全てにおけるスペクトラムレベルが最小を示すレベルになる状態が所定時間を超えて継続するとき、および、複数の周波数帯域のスペクトラムレベルが最小レベルと最小レベルの次のレベルとなる状態であって最小レベルの次のレベルとなる周波数帯域の数が所定数より少なくなる状態が所定時間を超えて継続するときに第２のミュート信号を送出し、ミュート設定部は、第１のミュート信号または第２のミュート信号の少なくとも一方が送出されるときには前記増幅回路をミュート状態に設定するようになっている。
【００１２】
すなわち、圧縮信号が無音を示す信号となるときには、伸長信号は、無音を示す信号にはならないが、極めて微小レベルに留まる信号となる。従って、スペクトラム分析部における分析結果は、スペクトラムのレベルが微小であることを示すことになる。このため、第２のミュート判定部は、スペクトラム分析部における分析結果が、スペクトラムのレベルが微小であることを示す場合には、圧縮信号は無音を示す信号になっているとして、第２のミュート信号を送出する。従って、増幅回路はミュート状態に設定される。また、スペクトラム分析部は、音声信号伸長部と一体に、１つのＩＣの内部に集積化されているので、別途にスペクトラム分析部を設けることが不要であり、且つ、外付けのディスクリート部品等も必要としない。
【００１３】
また、圧縮信号が無音となるときの音声信号伸長部における伸長の特性と、スペクトラム分析部におけるスペクトラムレベルの分割の細かさとの組み合わせが、圧縮信号が無音であるときの伸長信号のスペクトラムのレベルが、少数の周波数帯域において最小レベルの次のレベルとなるような組み合わせとなるときにも、圧縮信号が無音を示す信号となるときには、増幅回路はミュート状態に設定される。
【００１４】
また本発明に係るディスク再生装置は、ディスクに記録された信号を再生するディスク再生部と、ディスク再生部により再生された信号が圧縮されたデジタル音声信号である圧縮信号となるときには、圧縮信号を伸長するとともに伸長して得られたデジタル音声信号である伸長信号を出力する音声信号伸長部と、ディスク再生部により再生された信号が圧縮信号であるときには音声信号伸長部から出力される伸長信号をＤ／Ａ変換することにより得られたアナログ音声信号を送出し、ディスク再生部により再生された信号が圧縮されないデジタル音声信号である非圧縮信号となるときには前記非圧縮信号をＤ／Ａ変換することにより得られたアナログ音声信号を送出するＤ／Ａ変換部と、Ｄ／Ａ変換部から送出されるアナログ音声信号を増幅する増幅回路と、Ｄ／Ａ変換部に導かれるデジタル音声信号が無音を示す信号となるときには第１のミュート信号を送出する第１のミュート判定部と、第１のミュート信号が送出されるときには前記増幅回路をミュート状態に設定するミュート設定部と、Ｄ／Ａ変換部においてＤ／Ａ変換される伸長信号について、複数の周波数帯域のそれぞれにおけるスペクトラムレベルを分析するスペクトラム分析部とを備え、音声信号伸長部とスペクトラム分析部とが１つのＩＣに集積化されたディスク再生装置に適用している。そして、ディスク再生部により再生された信号が圧縮信号であるときには、スペクトラム分析部により分析された複数の周波数帯域のそれぞれにおけるスペクトラムレベルに基づいて、Ｄ／Ａ変換部に導かれる伸長信号が無音を示す信号となっているかどうかを判別するとともに、伸長信号が無音を示す信号になっていると判別したときには第２のミュート信号を送出する第２のミュート判定部を備え、ミュート設定部は、第１のミュート信号または第２のミュート信号の少なくとも一方が送出されるときには前記増幅回路をミュート状態に設定するようになっている。
【００１５】
すなわち、圧縮信号が無音を示す信号となるときには、伸長信号は、無音を示す信号にはならないが、極めて微小レベルに留まる信号となる。従って、スペクトラム分析部における分析結果は、スペクトラムのレベルが微小であることを示すことになる。このため、第２のミュート判定部は、スペクトラム分析部における分析結果が、スペクトラムのレベルが微小であることを示す場合には、圧縮信号は無音を示す信号になっているとして、第２のミュート信号を送出する。従って、増幅回路はミュート状態に設定される。また、スペクトラム分析部は、音声信号伸長部と一体に、１つのＩＣの内部に集積化されているので、別途にスペクトラム分析部を設けることが不要であり、且つ、外付けのディスクリート部品等も必要としない。
【００１６】
【発明の実施の形態】
以下に本発明の実施例の形態を、図面を参照しつつ説明する。
図１は、本発明に係るディスク再生装置の一実施形態の電気的構成を示すブロック線図であり、具体的にはＤＶＤ再生装置を示している。
【００１７】
図において、ディスク１１は、ドルビーデジタル方式の信号（ＡＣ−３信号）等のような、圧縮されたデジタル音声信号（以下では、圧縮信号と称する）、または、リニアＰＣＭ信号等のように、圧縮されないデジタル音声信号（以下では、非圧縮信号と称する）が記録されたＤＶＤとなっている。そして、ピックアップ１３は、ディスクモータ１２により回転駆動されるＤＶＤ１１に記録されたデジタル音声信号（デジタル映像信号をも含む）を読み取って信号処理部１４に送出する。
【００１８】
信号処理部１４は、ピックアップ１３より送出された信号からデジタルデータを取り出すとともに、取り出したデータのエラー訂正、等を行うことによって、デジタル音声信号を復調する。そして、復調したデジタル音声信号を、音声信号伸長部１５とスイッチ１６とに送出する（ピックアップ１３および信号処理部１４は請求項記載のディスク再生部１を構成している）。
【００１９】
音声信号伸長部１５は、復調されたデジタル音声信号が圧縮信号である場合に、圧縮信号の伸長を行う。そして、伸長により得られたデジタル音声信号（以下では、伸長信号と称する）を、スイッチ１６に送出する。スイッチ１６は、その接続が制御部１８によって制御され、信号処理部１４から送出される信号が圧縮信号であるときには、音声信号伸長部１５から送出される伸長信号を、Ｄ／Ａ変換部２０と第１のミュート判定部２１とスペクトラム分析部１７とに送出する。また、信号処理部１４から送出される信号が非圧縮信号であるときには、信号処理部１４から送出される非圧縮信号をＤ／Ａ変換部２０と第１のミュート判定部２１とスペクトラム分析部１７とに送出する。
【００２０】
Ｄ／Ａ変換部２０は、スイッチ１６を介して導かれたデジタル音声信号（伸長信号および非圧縮信号）をＤ／Ａ変換することによって、左チャンネル用のアナログ音声信号２０Ｌと、右チャンネル用のアナログ音声信号２０Ｒとを生成する。そして、生成したアナログ音声信号２０Ｌ，２０Ｒを、増幅回路５Ｌ，５Ｒに送出する。増幅回路５Ｌは、Ｄ／Ａ変換部２０から送出される左チャンネル用のアナログ音声信号２０Ｌを増幅し、増幅した音声信号を、ラインレベルの信号として、出力端子６Ｌに送出する。また、増幅回路５Ｒは、Ｄ／Ａ変換部２０から送出される右チャンネル用のアナログ音声信号２０Ｒを増幅し、増幅した音声信号を、ラインレベルの信号として、出力端子６Ｒに送出する（増幅回路５Ｌ，５Ｒの詳細については後述する）。
【００２１】
第１のミュート判定部２１は、スイッチ１６から送出されるデジタル音声信号が無音を示す信号（レベルを示すデータが０である信号）となるとき、ミュート設定部４に第１のミュート信号２１Ｓを送出する。なお、スイッチ１６から送出される信号が非圧縮信号である場合、無音となるときには、非圧縮信号は無音を示す信号（レベルを示すデータが０の信号）となる。しかし、スイッチ１６から送出される信号が伸長信号である場合、伸長される前の信号である圧縮信号が無音を示す信号となるときにも、伸長信号は無音を示す信号（レベルを示すデータが０の信号）とはならない。このため、第１のミュート判定部２１は、スイッチ１６を介して非圧縮信号が導かれ、且つ、非圧縮信号が無音を示す信号となるときには、第１のミュート信号２１Ｓをミュート設定部４に送出するが、伸長信号が導かれる場合では、圧縮信号が無音を示す信号となる場合であっても、第１のミュート信号２１Ｓをミュート設定部４に送出しない。
【００２２】
スペクトラム分析部１７は、Ｄ／Ａ変換部２０に導かれるデジタル音声信号について、複数（７つ）の周波数帯域のそれぞれにおけるスペクトラムレベルを分析する。すなわち、スイッチ１６を介して導かれたデジタル音声信号（伸長信号あるいは非圧縮信号）について、７つ（その他の数とすることができる）に分割された周波数帯域のそれぞれ毎にスペクトラムレベルを分析する。そして、分析結果を、周波数帯域のそれぞれに対応して設けられたレジスタに格納する。なお、スペクトラム分析部１７のおける周波数帯域のそれぞれ毎のレベル分析については、３２段階に分割されたレベルのうち、どのレベルとなっているのかが分析される。
【００２３】
図３は、スペクトラム分析部１７におけるスペクトラムのレベル分けの詳細を示す説明図である。すなわち、各周波数帯域のスペクトラムレベルは、５ビットのデータにより示されるようになっている。そして、最小となるスペクトラムレベルの範囲（データの『０００００』に対応するレベル範囲）は、最大となるスペクトラムレベル（データの『１１１１１』に対応するレベル範囲）の１／４０００（−７２ｄＢ以下）以下の範囲となっている。また、最小レベルの次のスペクトラムレベル（以下では、次点レベルと称する）は、データの『００００１』によって示され、このときのスペクトラムレベルは、最大となるスペクトラムレベルの１／２０００〜１／４０００（−６６ｄＢ〜−７２ｄＢ）の範囲となっている。
【００２４】
第２のミュート判定部２２は、ディスク再生部１により再生された信号が圧縮信号であるときには、スペクトラム分析部１７により分析された複数の周波数帯域のそれぞれにおけるスペクトラムレベル（スペクトラム分析部１７の内部に設けられ、周波数帯域のそれぞれに対応するレジスタに格納された５ビットの値）に基づいて、Ｄ／Ａ変換部２０に導かれる伸長信号が無音を示す信号となっているかどうかを判別する。そして、伸長信号が無音を示す信号になっていると判別したときには、第２のミュート信号２２Ｓをミュート設定部４に送出する。
【００２５】
詳細には、第２のミュート判定部２２は、スペクトラム分析部１７により分析された７つの周波数帯域の全てにおけるスペクトラムレベルが最小を示すレベル（データが『０００００』）となる状態が、所定時間（例えば、０．５秒等）を超えて継続するときには、第２のミュート信号２２Ｓを送出する。また、７つの周波数帯域のスペクトラムレベルが最小レベル（データが『０００００』）と最小レベルの次のレベル（データが『００００１』）となる状態（次点レベルとなる状態）であって、次点レベルとなる周波数帯域の数が所定数（例えば、３つ）より少なくなる状態が所定時間を超えて継続するときには、第２のミュート信号２２Ｓをミュート設定部４に送出する。
【００２６】
ミュート設定部４は、第１のミュート信号２１Ｓまたは第２のミュート信号２２Ｓの少なくとも一方が送出されるとき、増幅回路５Ｌ，５Ｒをミュート状態に設定する。制御部１８は、ディスク再生装置としての主要動作を制御するブロックとなっている。このため、信号処理部１４の動作を制御する。また、スイッチ１６の接続を制御する。
【００２７】
以下に補足的な説明を行うと、信号処理部１４、音声信号伸長部１５、スイッチ１６、スペクトラム分析部１７、制御部１８、および、第２のミュート判定部２２は、同じ１つのＩＣ２の内部に集積化されたブロックとなっている。また、制御部１８と第２のミュート判定部２２とは、ＩＣ２の内部に集積化されたマイクロコンピュータの機能により構成されている。すなわち、主要処理を実行させるためのＩＣには、信号処理部１４や音声信号伸長部１５等の主要処理を行う回路部やマイクロコンピュータとともに、スペクトラム分析部１７も併せて集積化されたＩＣ素子が用いられている。このため、ＩＣ２の外部に、ディスクリート素子、等の外付け部品を追加することなく、伸長信号が無音を示す信号となっているかどうかを判定可能な構成になっている。また、Ｄ／Ａ変換部２０と第１のミュート判定部２１とは、ＩＣ２とは別個に設けられたＩＣ３の内部に、一体に集積化されている。
【００２８】
図２は、増幅回路５Ｌおよびミュート設定部４の詳細な電気的接続を示す回路図である。
【００２９】
増幅回路５Ｌは、既に述べたように、Ｄ／Ａ変換部２０から送出される左チャンネル用のアナログ音声信号２０Ｌを増幅し、増幅した音声信号を、ラインレベルの信号として、出力端子６Ｌに送出する。このため、アナログ音声信号２０Ｌは、カップリング用のコンデンサＣ１と抵抗Ｒ２とを介して、ＯＰアンプ３１のマイナス入力に導かれている。また、ＯＰアンプ３１のマイナス入力と出力との間には、抵抗Ｒ２と対となって増幅率を設定する抵抗Ｒ３が接続されている。また、抵抗Ｒ３には、並列に、所定のローパス特性を得るためのコンデンサＣ２が接続されている。
【００３０】
また、コンデンサＣ１と抵抗Ｒ２との接続点は、抵抗Ｒ１を介して接地されている。また、ＯＰアンプ３１のプラス入力は接地されている。このため、ＯＰアンプ３１の動作点は接地レベルである０Ｖに設定される。そして、ＯＰアンプ３１の出力は、直流成分を除去するコンデンサＣ３と、ＯＰアンプ３１の出力の短絡を防止するための抵抗Ｒ４と、出力インピーダンスの最小値を確保するための抵抗Ｒ５とを介して、出力端子６Ｌに導かれている。なお、右チャンネル用の増幅回路５Ｒの回路構成は、増幅回路５Ｌの回路構成と同一となっている。
【００３１】
ミュート設定部４は、既に述べたように、第１のミュート信号２１Ｓまたは第２のミュート信号２２Ｓの少なくとも一方が送出されるとき、増幅回路５Ｌ，５Ｒをミュート状態に設定する。このため、第１のミュート信号２１Ｓと第２のミュート信号２２Ｓとが導かれたＮＯＲゲート３２を備えている。そして、ＮＯＲゲート３２の出力は、ベース電流を制限する抵抗Ｒ７を介して、トランジスタＱ１のベースに導かれている。また、トランジスタＱ１のエミッタはプラス電源に接続されている。そして、トランジスタＱ１のベースとプラス電源との間には、ベース電位をエミッタ電位に引き上げるための抵抗Ｒ８が接続されている。
【００３２】
トランジスタＱ１のコレクタは、抵抗Ｒ９を介してトランジスタＱ２のベースに導かれている。また、トランジスタＱ２のエミッタは接地されており、トランジスタＱ２のベースと接地レベルとの間には、ベースインピーダンスの上昇を制限する抵抗Ｒ１０が接続されている。そして、トランジスタＱ２のコレクタは、増幅回路５Ｌをミュート状態に設定するための出力４ＳＬとして、抵抗Ｒ４と抵抗Ｒ５との接続点に導かれている。
【００３３】
また、トランジスタＱ１のコレクタは、抵抗Ｒ１１を介してトランジスタＱ３のベースに導かれている。また、トランジスタＱ３のエミッタは接地されており、トランジスタＱ３のベースと接地レベルとの間には、ベースインピーダンスの上昇を制限する抵抗Ｒ１２が接続されている。そして、トランジスタＱ３のコレクタは、増幅回路５Ｒをミュート状態に設定するための出力４ＳＲとして、増幅回路５Ｒに導かれている。
【００３４】
増幅回路５Ｌ，５Ｒ、および、ミュート設定部４は上記した回路構成となっている。このため、第１のミュート信号２１Ｓ（Ｈレベル）、あるいは、第２のミュート信号２２Ｓ（Ｈレベル）の少なくとも一方が送出されるときには、ＮＯＲゲート３２からＬレベルが出力される。このため、トランジスタＱ１がオン状態となり、トランジスタＱ２，Ｑ３がオン状態となる。その結果、増幅回路５Ｌにおいては、抵抗Ｒ４と抵抗Ｒ５との接続点が接地されるので、増幅回路５Ｌは、ＯＰアンプ３１の出力が接地されたミュート状態となる（増幅回路５Ｒも同じ状態に設定される）。
【００３５】
上記構成からなる実施形態の動作を説明する。
ＤＶＤ１１の再生が行われていない場合では、Ｄ／Ａ変換部２０には、無音を示すデジタル音声信号が導かれる。従って、第１のミュート判定部２１から第１のミュート信号２１Ｓが送出されるので、ミュート設定部４は増幅回路５Ｌ，５Ｒをミュート状態に設定する。この状態から、圧縮信号が記録されたＤＶＤ１１の再生に移行すると、スイッチ１６は、音声信号伸長部１５から送出される伸長信号を送出するように、接続が制御される。その結果、音声信号伸長部１５から送出される伸長信号は、スイッチ１６を介して、Ｄ／Ａ変換部２０、第１のミュート判定部２１、および、スペクトラム分析部１７に導かれる。
【００３６】
上記状態において、信号処理部１４から送出される圧縮信号が、無音を示す信号ではなく、音楽や音声等を示す信号となる場合、伸長信号は、上記した７つの周波数帯域の１つ以上の帯域において、レベルが次点レベル（−６２ｄＢ〜−７２ｄＢの範囲）より大きいスペクトラムを有する信号となる。つまり、１つ以上の周波数帯域におけるスペクトラムレベルが、−６２ｄＢより大きいスペクトラムを有する信号となる。このため、第２のミュート判定部２２は第２のミュート信号２２Ｓを送出しない。
【００３７】
また、第１のミュート判定部２１も、Ｄ／Ａ変換部２０に導かれた信号が無音を示す信号ではないことから、第１のミュート信号２１Ｓを送出しない。その結果、ミュート設定部４においては、ＮＯＲゲート３２に導かれる信号２１Ｓ，２２Ｓの双方がＬレベルとなるので、ＮＯＲゲート３２の出力がＨレベルとなり、トランジスタＱ１〜Ｑ３がオフとなる。このため、増幅回路５Ｌ，５Ｒは、ミュートされず、Ｄ／Ａ変換部２０から送出されるアナログ音声信号２０Ｌ，２０Ｒを増幅して、出力端子６Ｌ，６Ｒに送出する。
【００３８】
上記状態において、信号処理部１４より送出される圧縮信号が、無音を示す信号になったとする。このときでも、伸長を行う処理の関係から、音声信号伸長部１５より送出される伸長信号は、データ０となる無音信号とはならない。つまり、伸長信号は、信号レベルが極めて微小であるために、聞き取ることはできないが、データ的には音声があることを示す信号となっている。従って、第１のミュート判定部２１は、第１のミュート信号２１Ｓを送出しない。
【００３９】
上記したように、信号処理部１４から送出される圧縮信号が無音を示す信号となるときであっても、音声信号伸長部１５から送出される伸長信号は無音を示す信号とはならない。しかし、信号レベルは極めて微小となっている。このため、スペクトラム分析部１７においては、７つの周波数帯域の全てにおいて、スペクトラムレベルが最小レベルとなる（−７２ｄＢ以下となる）分析結果が得られる。あるいは、６つの周波数帯域におけるスペクトラムレベルが最小レベルとなり、１つの周波数帯域におけるスペクトラムレベルが次点レベルになるという分析結果、等が得られることになる。
【００４０】
第２のミュート判定部２２は、スペクトラム分析部１７における分析結果が、７つの周波数帯域の全てにおいて、スペクトラムレベルが最小レベルとなることを示すときには、無音になっているとして、第２のミュート信号２２Ｓをミュート設定部４に送出する。また、いくつかの周波数帯域におけるスペクトラムレベルが次点レベルとなり、その他の周波数帯域におけるスペクトラムレベルが最小レベルとなるときにも、その次点レベルとなる周波数帯域の数が３つ（その他の数とすることができる）より少なくなる場合では、無音になっているとして、第２のミュート信号２２Ｓをミュート設定部４に送出する。
【００４１】
以上のことから、信号処理部１４から送出される圧縮信号が無音を示す信号となるときには、音声信号伸長部１５から送出される伸長信号が、データ的に無音を示す信号とはならないにもかかわらず、第２のミュート判定部２２からは第２のミュート信号２２Ｓが送出される。このため、信号処理部１４から送出される圧縮信号が無音を示す信号となるときには、増幅回路５Ｌ，５Ｒはミュート状態に設定されることになる。
【００４２】
以上で圧縮信号の再生時の動作説明を終了し、次いで、非圧縮信号の再生時の動作を説明する（このときには、第２のミュート判定部２２は、動作の停止状態に維持され、第２のミュート信号２２Ｓを送出しない）。
【００４３】
非圧縮信号が記録されたＤＶＤ１１の再生が開始されると、信号処理部１４から送出される非圧縮信号は、スイッチ１６を介して、Ｄ／Ａ変換部２０、第１のミュート判定部２１、および、スペクトラム分析部１７に導かれる。そして、非圧縮信号が無音を示す信号となるときには、非圧縮信号はデータ的な０を示す信号となるので、第１のミュート判定部２１は第１のミュート信号２１Ｓを送出する。従って、非圧縮信号が無音を示す信号となるときには、信号増幅回路５Ｌ，５Ｒはミュート状態に設定される。
【００４４】
また、非圧縮信号が音声を示す信号となるときには、第１のミュート判定部２１は第１のミュート信号２１Ｓを送出しない。このため、増幅回路５Ｌ，５Ｒは、ミュートされず、Ｄ／Ａ変換部２０から送出されるアナログ音声信号を増幅して、出力端子６Ｌ，６Ｒに送出する。
【００４５】
以上説明したように、圧縮信号が無音となるときの伸長信号が、スペクトラム分析部１７の分析において、少数の周波数帯域におけるスペクトラムレベルが、最小レベルの次のレベルとなるスペクトラムを有する信号となるときであっても、増幅回路５Ｌ，５Ｒはミュート状態に設定される。このため、圧縮信号が無音となるときの音声信号伸長部１５における伸長の特性と、スペクトラム分析部１７におけるスペクトラムレベルの分割の細かさとの組み合わせが、圧縮信号が無音であるときに、少数の周波数帯域においてスペクトラムレベルが最小レベルの次のレベルとなるような組み合わせとなるときにも、圧縮信号が無音を示す信号となるときには、増幅回路５Ｌ，５Ｒをミュート状態に設定することができる。つまり、音声信号伸長部１５の特性とスペクトラム分析部１７の特性との組み合わせを、自由度の広いものとすることができている。
【００４６】
なお、本発明は上記実施形態に限定されず、スペクトラム分析部については、７つの周波数帯域においてスペクトラムレベルを分析する構成とした場合について説明したが、その他の任意の数として、例えば、６つ、あるいは、８つ等の周波数帯域においてスペクトラムレベルを分析する構成とする場合にも、同様に適用することができる。
【００４７】
また、ラインレベルの音声信号を出力する構成とした場合について説明したが、その他の構成として、例えば、電力増幅回路とスピーカとを追加した構成とする場合にも、同様に適用することができる。
【００４８】
【発明の効果】
以上説明したように、本発明では、ディスク再生部により再生された信号が圧縮信号であるときには、スペクトラム分析部により分析された複数の周波数帯域のそれぞれにおけるスペクトラムレベルに基づいて、Ｄ／Ａ変換部に導かれる伸長信号が無音を示す信号となっているかどうかを判別するとともに、伸長信号が無音を示す信号になっていると判別したときには、増幅回路をミュート状態に設定している。且つ、スペクトラム分析部により分析された複数の周波数帯域の全てにおけるスペクトラムレベルが最小を示すレベルになっている状態が所定時間を超えて継続するとき、および、複数の周波数帯域のスペクトラムレベルが最小レベルと最小レベルの次のレベルとなっている状態であって最小レベルの次のレベルとなっている周波数帯域の数が所定数より少なくなっている状態が所定時間を超えて継続するときにも、増幅回路をミュート状態に設定している。このため、圧縮されたデジタル音声信号を伸長する音声信号伸長部と、音声信号伸長部の出力を複数の周波数帯域においてスペクトラム分析するスペクトラム分析部とが一体に集積化されたＩＣを用いる場合において、圧縮されたデジタル音声信号が無音を示す信号となるときには、アナログ音声信号を増幅して出力する増幅回路をミュート状態とする場合にも、外付け部品の点数の増加を防止することができ、且つ、圧縮信号が無音となるときの伸長信号が、少数の周波数帯域において、最小レベルの次のレベルとなるスペクトラムを有する信号となるときにも、増幅回路をミュート状態に設定することができる。
【００４９】
また本発明では、ディスク再生部により再生された信号が圧縮信号であるときには、スペクトラム分析部により分析された複数の周波数帯域のそれぞれにおけるスペクトラムレベルに基づいて、Ｄ／Ａ変換部に導かれる伸長信号が無音を示す信号となっているかどうかを判別するとともに、伸長信号が無音を示す信号になっていると判別したときには、増幅回路をミュート状態に設定している。このため、圧縮されたデジタル音声信号を伸長する音声信号伸長部と、音声信号伸長部の出力を複数の周波数帯域においてスペクトラム分析するスペクトラム分析部とが一体に集積化されたＩＣを用いる場合において、圧縮されたデジタル音声信号が無音を示す信号となるときには、アナログ音声信号を増幅して出力する増幅回路をミュート状態とする場合にも、外付け部品の点数の増加を防止することができる。
【図面の簡単な説明】
【図１】本発明に係るディスク再生装置の一実施形態の電気的構成を示すブロック線図である。
【図２】ミュート設定部と増幅回路との詳細な電気的接続を示す回路図である。
【図３】スペクトラム分析部のスペクトラムのレベル分けにおけるレベル範囲を示す説明図である。
【図４】従来技術の電気的構成を示すブロック線図である。
【図５】従来技術の補助ミュート判定部の電気的接続を示す回路図である。
【符号の説明】
１  ディスク再生部
２  ＩＣ
４  ミュート設定部
５Ｌ，５Ｒ  増幅回路
１５  音声信号伸長部
１７  スペクトラム分析部
２０  Ｄ／Ａ変換部
２１  第１のミュート判定部
２２  第２のミュート判定部
２１Ｓ  第１のミュート信号
２２Ｓ  第２のミュート信号
【図１】
2005056468.tif 000003
【図２】
2005056468.tif 000004
【図３】
2005056468.tif 000005
【図４】
2005056468.tif 000006
【図５】
2005056468.tif 000007